(57)【要約】【課題】嵌合状態を強固に維持することのできるロック機構を有する電気コネクタを提供する。【解決手段】レセプタクルコネクタ１００は、円筒状の外部導体１０１と、外部導体１０１の中心に位置する中心端子１０２と、外部導体１０１及び中心端子１０２を保持するハウジング１０３と、相手側コネクタであるプラグコネクタ１との嵌合時に、プラグコネクタ１の天面１１（外部導体）を押さえて嵌合状態を保持するロック部材１０４を備えている。ロック部材１０４は、両側の腕部１０８の外側に一対の凹状の被ガイド部１０９を備え、被ガイド部１０９は、ガイド部１０７と係合し、ガイド部１０７に沿って移動可能であり、ロック部材１０４は、プラグコネクタ１の挿抜が可能となる非ロック位置と、プラグコネクタ１の移動を規制するロック位置との間でスライド移動可能である。【選択図】図１
2020126728.tif 000002
【特許請求の範囲】
【請求項１】
円筒状の外部導体と、
前記外部導体の中心に位置する中心端子と、
前記外部導体及び前記中心端子を保持するハウジングと、
相手側コネクタとの嵌合時に、前記相手側コネクタを押さえて嵌合状態を保持するロック部材とを備え、
前記外部導体は、外周面に設けられた環状の係止溝を有し、
相手側コネクタとの嵌合時に、前記相手側コネクタの外部導体が、前記係止溝に係合して嵌合される構造となっている、電気コネクタ。
【請求項２】
前記円筒状の外部導体の外側に、前記円筒状の外部導体と離間して一対のガイド部を備え、
前記ロック部材は、一対の被ガイド部を備え、
前記被ガイド部は、前記ガイド部と係合し、前記ガイド部に沿って移動可能であり、
前記ロック部材は、前記相手側コネクタの挿抜が可能となる非ロック位置と、前記相手側コネクタの移動を規制するロック位置との間で移動可能である、請求項１に記載の電気コネタク。
【請求項３】
前記ロック部材は、天板状の押さえ部を備え、
前記ロック部材が前記ロック位置にあるとき、前記相手側コネクタの天面を押さえてロックする構成となっている、請求項２に記載の電気コネタク。
【請求項４】
前記ガイド部は凸状であり、前記被ガイド部は凹状である、請求項２又は３に記載の電気コネタク。
【請求項５】
前記ロック部材は、外壁の内側に第１の幅の第１の間隙を有し、
前記ロック部材が前記ロック位置にあるとき、前記第１の間隙により、前記相手側コネクタの外部導体の外周を押さえてロックする構成となっている、請求項２に記載の電気コネタク。
【請求項６】
前記ガイド部は凹状であり、前記被ガイド部は凸状である、請求項５に記載の電気コネタク。
【請求項７】
前記ロック部材は、外壁の内側に、前記第１の幅より広い第２の幅の第２の間隙を有し、
前記ロック部材が前記非ロック位置にあるとき、第２の間隙が前記相手側コネクタの外部導体の近傍に位置し、前記ロック部材が前記ロック位置にあるとき、第１の間隙が前記相手側コネクタの外部導体に接触して位置するように構成されている、請求項５又は６に記載の電気コネタク。
【請求項８】
前記ハウジングは、外壁の端部に一対の軸支部を備え、
前記ロック部材は、端部に一対の軸部を備え、
前記ロック部材は、前記軸支部と前記軸部とが係合し、前記軸部を中心に軸回転移動が可能であり、
前記ロック部材は、前記相手側コネクタの挿抜が可能となる非ロック位置と、前記相手側コネクタの移動を規制するロック位置との間で開閉移動するように構成されている、請求項１に記載の電気コネタク。
【請求項９】
前記ロック部材は、前記ハウジングの外壁から起立した弾性の一対の部材から構成され、
前記ロック部材は、内側に突出した係止部を有し、
前記相手側コネクタとの嵌合時に、前記係止部が前記相手側コネクタの天面に係合し、前記相手側コネクタの移動を規制する構造となっている、請求項１に記載の電気コネクタ。
【請求項１０】
同軸ケーブルに接続される第１の電気コネクタと、基板に実装される第２の電気コネクタとを備える電気コネクタ組立体であって、
前記第１の電気コネクタは、前記同軸ケーブルの芯線に接続される端子と、外部導体シェルとを含み、
前記第２の電気コネクタは、
円筒状の外部導体と、
前記外部導体の中心に位置する中心端子と、
前記外部導体及び前記中心端子を保持するハウジングと、
前記第１の電気コネクタとの嵌合時に、前記第１の電気コネクタを押さえて嵌合状態を保持するロック部材とを備え、
前記外部導体は、外周面に設けられた環状の係止溝を有し、
前記第１の電気コネクタとの嵌合時に、前記第１の電気コネクタの外部導体が、前記係止溝に係合して嵌合される構造となっている、電気コネクタ組立体。
【発明の詳細な説明】
【技術分野】
【０００１】
本発明は、電気コネクタに関し、特に同軸ケーブルと基板との接続に使用される同軸コネクタに関する。
【背景技術】
【０００２】
近年、携帯電話、ノート型パーソナルコンピュータ(ＰＣ)、タブレット型ＰＣ等の電子機器の開発が盛んである。これらの電子機器では、携帯性向上のため、小型化の要請があり、内部に組み込まれる電子部品に対しても、小型化が求められている。Ｌ型同軸コネクタは、携帯電話や、近年通信に用いることが通常となってきたノート型ＰＣ、タブレット型ＰＣ等において、アンテナと、ＲＦ回路、中央処理装置などの各種電子部品とをつなぐ同軸ケーブルの接続に用いられることが多く、小型化が要請されている。
【０００３】
このようなＬ型同軸コネクタとして、例えば、特開２０１６−１７３９７４号公報（特許文献１）で開示された技術がある。特許文献１に記載のＬ型同軸コネクタは、嵌合筒状部を有する外部導体と、嵌合筒状部の内側の誘電体と、誘電体に保持される中心導体などから構成される。外部導体の嵌合筒状部は、ケーブルの延出方向側の位置で周方向に間隔をもって開放部が形成されている。嵌合筒状部の内周面には、相手側コネクタの外部導体の外周面に形成された環状のロック溝と係合するロック部が周方向に延びる環状の突条部として設けられている。
【０００４】
使用に際しては、回路基板等に取り付けられたレセプタクルコネクタとプラグコネクタ（Ｌ型同軸コネクタ）とが嵌合すると、プラグコネクタの外部導体の嵌合筒状部が、弾性により拡径しながらレセプタクルコネクタの外部導体の外周面と接触し、嵌合筒状部の内周面に設けられた環状の突条部が、レセプタクルコネクタの外部導体の外周面に形成された環状のロック溝に嵌り込み、抜け防止のロックがなされる。
【先行技術文献】
【特許文献】
【０００５】
【特許文献１】特開２０１６−１７３９７４号公報
【発明の概要】
【発明が解決しようとする課題】
【０００６】
しかしながら、車載分野などの高信頼性が要求される製品の電気コネクタとして、使用する場合、嵌合筒状部とロック溝のロック機構のみでは、強い引っ張り力が加わると嵌合が解除される場合があり、ロック機構として不十分である。そのため、強い引っ張り力が加わっても、抜去されないような完全なロック機構が必要とされる。
【０００７】
そこで、本発明の目的は、電気コネクタにおいて、嵌合状態を強固に維持することのできるロック機構を提供することにある。
【０００８】
本発明の前記並びにその他の目的と新規な特徴は、本明細書の記述及び添付図面から明らかになるであろう。
【課題を解決するための手段】
【０００９】
本願において開示される実施例のうち、代表的なものの概要を簡単に説明すれば、次のとおりである。
【００１０】
すなわち、代表的な実施例による電気コネクタは、円筒状の外部導体と、前記外部導体の中心に位置する中心端子と、前記外部導体及び前記中心端子を保持するハウジングと、相手側コネクタとの嵌合時に、前記相手側コネクタを押さえて嵌合状態を保持するロック部材とを備え、前記外部導体は、外周面に設けられた環状の係止溝を有し、相手側コネクタとの嵌合時に、前記相手側コネクタの外部導体が、前記係止溝に係合して嵌合される構造となっているものである。
【００１１】
また、前記円筒状の外部導体の外側に、前記円筒状の外部導体と離間して一対のガイド部を備え、前記ロック部材は、一対の被ガイド部を備え、前記被ガイド部は、前記ガイド部と係合し、前記ガイド部に沿って移動可能であり、前記ロック部材は、前記相手側コネクタの挿抜が可能となる非ロック位置と、前記相手側コネクタの移動を規制するロック位置との間で移動可能であるものである。
【００１２】
また、前記ロック部材は、外壁の内側に第１の幅の第１の間隙を有し、前記ロック部材が前記ロック位置にあるとき、前記第１の間隙により、前記相手側コネクタの外部導体の外周を押さえてロックする構成となっているものである。
【００１３】
また、前記ハウジングは、外壁の端部に一対の軸支部を備え、前記ロック部材は、端部に一対の軸部を備え、前記ロック部材は、前記軸支部と前記軸部とが係合し、前記軸部を中心に軸回転移動が可能であり、前記ロック部材は、前記相手側コネクタの挿抜が可能となる非ロック位置と、前記相手側コネクタの移動を規制するロック位置との間で開閉移動するように構成されているものである。
【００１４】
また、前記ロック部材は、前記ハウジングの外壁から起立した弾性の一対の部材から構成され、前記ロック部材は、内側に突出した係止部を有し、前記相手側コネクタとの嵌合時に、前記係止部が前記相手側コネクタの天面に係合し、前記相手側コネクタの移動を規制する構造となっているものである。
【００１５】
また、代表的な実施例による電気コネクタ組立体は、同軸ケーブルに接続される第１の電気コネクタと、基板に実装される第２の電気コネクタとを備える電気コネクタ組立体であって、前記第１の電気コネクタは、前記同軸ケーブルの芯線に接続される端子と、外部導体シェルとを含み、前記第２の電気コネクタは、円筒状の外部導体と、前記外部導体の中心に位置する中心端子と、前記外部導体及び前記中心端子を保持するハウジングと、前記第１の電気コネクタとの嵌合時に、前記第１の電気コネクタを押さえて嵌合状態を保持するロック部材とを備え、前記外部導体は、外周面に設けられた環状の係止溝を有し、前記第１の電気コネクタとの嵌合時に、前記第１の電気コネクタの外部導体が、前記係止溝に係合して嵌合される構造となっているものである。
【発明の効果】
【００１６】
代表的な実施例によれば、嵌合状態を強固に維持することのできるロック部材を備えているので、電気コネクタの信頼性が向上する。
【図面の簡単な説明】
【００１７】
【図１】本発明の実施の形態１に係るレセプタクルコネクタ（電気コネクタ）及びプラグコネクタ（相手側コネクタ）の構成を示す斜視図である。
【図２】実施の形態１において、レセプタクルコネクタにプラグコネクタを嵌合した状態を示す斜視図である（非ロック位置）。
【図３】実施の形態１において、レセプタクルコネクタにプラグコネクタを嵌合した状態を示す平面図である（非ロック位置）。
【図４】図３のＡ−Ａ切断面における断面図である。
【図５】図３のＢ−Ｂ切断面における断面図である。
【図６】実施の形態１において、ロック部材をスライド移動してロックした状態を示す斜視図である。
【図７】実施の形態１において、ロック部材をスライド移動してロックした状態を示す平面図である。
【図８】図７のＡ−Ａ切断面における断面図である。
【図９】図７のＢ−Ｂ切断面における断面図である。
【図１０】実施の形態１において、レセプタクルコネクタのハウジングの構成を示す斜視図である。
【図１１】本発明の実施の形態２に係るレセプタクルコネクタ（電気コネクタ）及びプラグコネクタ（相手側コネクタ）の構成を示す斜視図である。
【図１２】実施の形態２において、レセプタクルコネクタにプラグコネクタを嵌合した状態を示す斜視図である（非ロック位置）。
【図１３】実施の形態１において、レセプタクルコネクタにプラグコネクタを嵌合した状態を示す正面図である（非ロック位置）。
【図１４】図１３のＡ−Ａ切断面における断面図である。
【図１５】実施の形態２において、ロック部材をスライド移動してロックした状態を示す斜視図である。
【図１６】実施の形態２において、ロック部材をスライド移動してロックした状態を示す正面図である。
【図１７】図１６のＡ−Ａ切断面における断面図である。
【図１８】本発明の実施の形態３に係るレセプタクルコネクタ（電気コネクタ）及びプラグコネクタ（相手側コネクタ）の構成を示す斜視図である。
【図１９】実施の形態３において、ロック部材を開いてレセプタクルコネクタにプラグコネクタを嵌合した状態を示す斜視図である（非ロック位置）。
【図２０】実施の形態３において、ロック部材を閉じてロックした状態を示す斜視図である。
【図２１】本発明の実施の形態４に係るレセプタクルコネクタ（電気コネクタ）及びプラグコネクタ（相手側コネクタ）の構成を示す斜視図である。
【図２２】実施の形態４において、ロック部材を開いてレセプタクルコネクタにプラグコネクタを嵌合した状態を示す斜視図である（ロック状態）。
【図２３】実施の形態４において、レセプタクルコネクタからプラグコネクタを抜去するために、冶具を用いてロック部材を開いた状態を示す斜視図である（非ロック状態）。
【発明を実施するための形態】
【００１８】
以下、本発明の実施の形態を図面に基づいて詳細に説明する。なお、実施の形態を説明するための全図において、同一部材には原則として同一の符号を付し、その繰り返しの説明は省略する。
【００１９】
以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２０】
（実施の形態１）
図１は、本発明の実施の形態１に係るレセプタクルコネクタ（電気コネクタ）及びプラグコネクタ（相手側コネクタ）の構成を示す斜視図である。図２は、実施の形態１において、レセプタクルコネクタにプラグコネクタを嵌合した状態を示す斜視図である（非ロック位置）。図３は、実施の形態１において、レセプタクルコネクタにプラグコネクタを嵌合した状態を示す平面図である（非ロック位置）。図４は、図３のＡ−Ａ切断面における断面図である。図５は、図３のＢ−Ｂ切断面における断面図である。
【００２１】
まず、図１〜５により、相手側コネクタとしてのプラグコネクタについて、その構成を説明する。図１〜５に示すように、プラグコネクタ１は、同軸ケーブルの接続に使用される一般的なＬ型同軸コネクタであり、同軸ケーブル２の芯線３と電気的に接続される端子４と、端子４を収容する絶縁性のハウジング５と、同軸ケーブル２のシールド線６と電気的に接続され、ハウジング５を覆う外部導体シェル７などから構成される。実施の形態１〜４のすべてにおいて、プラグコネクタ１は共通である。図１に示すように、同軸ケーブル２は、一般の同軸ケーブルと同じ構造であり、最外殻から中心に向かって、絶縁被覆８、シールド線６、絶縁体９、芯線３を有する。
【００２２】
外部導体シェル７は、金属板を外形付けた後に、これを屈曲成形して作られており、略円筒状の嵌合筒状部１０、天面１１、囲繞部１２を一体として有している。嵌合筒状部１０は、弾性を有し、金属板を円形に沿って湾曲成形され、嵌合方向から見て嵌合部が略Ｃ字状になっており、同軸ケーブル２の延出方向側の位置で一部が開放した開放部１３が形成されている。
【００２３】
次に、図１〜５により、本発明の実施の形態１に係るレセプタクルコネクタ（電気コネクタ）の構成を説明する。本実施の形態１のレセプタクルコネクタ１００は、相手側コネクタのプラグコネクタ１と嵌合することにより、各端子が電気的に接続されるものであって、円筒状の外部導体１０１と、外部導体１０１の中心に位置する中心端子１０２と、外部導体１０１及び中心端子１０２を保持するハウジング１０３と、相手側コネクタであるプラグコネクタ１との嵌合時に、プラグコネクタ１の天面１１を押さえて嵌合状態を保持するロック部材１０４などから構成されている。外部導体１０１は、その外周面に設けられた環状の係止溝１０５を有し、プラグコネクタ１との嵌合時に、プラグコネクタ１の嵌合筒状部１０が、外部導体１０１を包囲して係止溝１０５に係合して嵌合される構造となっている。レセプタクルコネクタ１００は、通常、回路基板上に実装される。
【００２４】
また、ハウジング１０３は、両側の外壁１０６の内側に一対の凸状のガイド部１０７を備える。ガイド部１０７は、ロック部材１０４がスライド移動する際にレールの役目を果たす。また、ガイド部１０７の底面１１７は、下向きに傾斜しており、ガイド部１０７と被ガイド部１０９との係合が容易に外れないようになっている。また、両側の外壁１０６のガイド部１０７の底面１１７には、段差１１８が設けられており、ロック部材１０４がロック位置にあるときに（図８等参照）、ロック部材１０４の図１及び図８の左側への移動を規制して、二重にロックされるようになっている。なお、ガイド部１０７は、ハウジング１０３の外壁１０６でなく、他の箇所に設けてもよい。例えば、外部導体１０１の外側で外部導体１０１と離間した位置であれば、ガイド部１０７をどの箇所に設けてもよい。また、ガイド部１０７の材質は、樹脂ではなく金属であってもよい。
【００２５】
ロック部材１０４は、両側の腕部１０８の外側に一対の凹状の被ガイド部１０９を備える。被ガイド部１０９は、ガイド部１０７と係合し、ガイド部１０７に沿って移動可能であり、ロック部材１０４は、プラグコネクタ１の挿抜が可能となる非ロック位置（図２〜図５）と、プラグコネクタ１の移動を規制するロック位置（図６〜図９）との間でスライド移動可能である。
【００２６】
ロック部材１０４は、天板状の押さえ部１１０を備え、ロック部材１０４がロック位置にあるとき、プラグコネクタ１の天面１１を押さえてロックする構成となっている。また、ロック部材１０４は、左側端部にストッパ１２０を備え、ロック時に、ストッパ１２０がプラグコネクタ１の外部導体シェル７に当接して、ロック部材１０４が右側に行き過ぎないようになっている。ロック部材１０４は、樹脂モールドで形成されている。
【００２７】
中心端子１０２は軸状の接触部１１１とその下端から周方向の一箇所でＬ字腕部をなす接続部１１２を有している。接続部１１２は、基板上の端子と接続されるものである。
【００２８】
外部導体１０１は、周方向の一箇所で接合するように円筒形に湾曲形成されて作られていて、外周に係止溝１０５が形成されている。外部導体１０１は、その下端から周方向の一箇所でＬ字腕部をなす接続部１１３を有している。接続部１１３は、基板上の端子と接続されるものである。
【００２９】
ハウジング１０３の外壁１０６の上面には、仮止め用の係止凸部１１４が設けられ、ロック部材１０４の係止凸部１１５と係合して、ロック部材１０４がハウジング１０３から容易に外れないようになっている。なお、組み立ての際は、図１の右側（ケーブル側）から、被ガイド部１０９がガイド部１０７に沿ってスライド移動して、ロック部材１０４がハウジング１０３に挿入される。また、ハウジング１０３の外壁１０６の底部には、基板に半田付けされるための補強金具１１６が設けられている。
【００３０】
次に、図２〜図１０により、プラグコネクタ１とレセプタクルコネクタ１００が嵌合した状態で、分離する方向に力が加わっても、嵌合が解除されないようにロックする機構を説明する。図６は、実施の形態１において、ロック部材をスライド移動してロックした状態を示す斜視図である。図７は、実施の形態１において、ロック部材をスライド移動してロックした状態を示す平面図である。図８は、図７のＡ−Ａ切断面における断面図である。図９は、図７のＢ−Ｂ切断面における断面図である。図１０は、実施の形態１において、レセプタクルコネクタのハウジングの構成を示す斜視図である。
【００３１】
図２に示すように、レセプタクルコネクタ１００にプラグコネクタ１を上方から嵌合する。この状態では、ロック部材１０４は、まだ非ロック位置であり、プラグコネクタ１を上に持ち上げれば、嵌合が容易に外れてしまう。次に、図６に示すように、ロック部材１０４を右方向にスライド移動させる。このとき、ロック部材１０４の係止凸部１１５が、ハウジング１０３の係止凸部１１４を乗り越えて移動し、プラグコネクタ１の天面１１に押されて、ロック部材１０４は、上方に若干持ち上がる（図８参照）。そして、ロック部材１０４の端面１１９が段差１１８に食い込んで、ロック部材１０４の左方向への移動が規制されて、二重にロックされる。この状態で、ロック部材１０４の押さえ部１１０がプラグコネクタ１の天面１１を押さえることになり、レセプタクルコネクタ１００とプラグコネクタ１との嵌合が外れなくなり、完全にロックされる。また、ロック部材１０４のストッパ１２０がプラグコネクタ１の外部導体シェル７の側面に当接して、ロック部材１０４が右側に行き過ぎないようになっている。
【００３２】
本実施の形態１では、ロック部材１０４の材質が樹脂である場合について説明したが、ロック部材１０４の材質は金属であってもよい。また、ガイド部１０７をハウジング１０３に設けるのではなく、外壁１０６、ガイド部１０７の一部を外部導体１０１の底部から延長した金属で構成してもよい。この場合、ガイド部１０７及び被ガイド部１０９が金属同士となり、強度が向上し、金属製ロック部材１０４が外部導体や補強金具に接することで、電気遮蔽効果も向上する。また、押さえ部１１０をバネ状にすることもできる。
【００３３】
（実施の形態２）
図１１は、本発明の実施の形態２に係るレセプタクルコネクタ（電気コネクタ）及びプラグコネクタ（相手側コネクタ）の構成を示す斜視図である。図１２は、実施の形態２において、レセプタクルコネクタにプラグコネクタを嵌合した状態を示す斜視図である（非ロック位置）。図１３は、実施の形態１において、レセプタクルコネクタにプラグコネクタを嵌合した状態を示す正面図である（非ロック位置）。図１４は、図１３のＡ−Ａ切断面における断面図である。
【００３４】
まず、図１１〜１４により、本発明の実施の形態２に係るレセプタクルコネクタ（電気コネクタ）の構成を説明する。本実施の形態２のレセプタクルコネクタ２００は、相手側コネクタのプラグコネクタ１と嵌合することにより、各端子が電気的に接続されるものであって、円筒状の外部導体２０１と、外部導体２０１の中心に位置する中心端子２０２と、外部導体２０１及び中心端子２０２を保持するハウジング２０３と、相手側コネクタであるプラグコネクタ１との嵌合時に、プラグコネクタ１の嵌合筒状部１０を両側から挟み込んで（押さえて）嵌合状態を保持するロック部材２０４などから構成されている。外部導体２０１は、その外周面に設けられた環状の係止溝２０５を有し、プラグコネクタ１との嵌合時に、プラグコネクタ１の嵌合筒状部１０が、外部導体２０１を包囲して係止溝２０５に係合して嵌合される構造となっている。
【００３５】
ハウジング２０３は、外壁２０６の内側に一対の凹状のガイド部２０７を備える。ロック部材２０４は、腕部２０８の外側に一対の凸状の被ガイド部２０９を備え、被ガイド部２０９は、ガイド部２０７と係合し、ガイド部２０７に沿って移動可能である。ロック部材２０４は、相手側コネクタであるプラグコネクタ１の挿抜が可能となる非ロック位置と、プラグコネクタ１の移動を規制するロック位置との間で移動可能である。また、ロック部材２０４は、腕部２０８の内側に第１の幅Ｗ１の第１の間隙２１０を有し、ロック部材２０４がロック位置にあるとき、第１の間隙２１０により、プラグコネクタ１の嵌合筒状部１０の外周を押さえてロックする構成となっている。なお、第１の幅Ｗ１は、嵌合筒状部１０の外周の直径とほぼ同じである。
【００３６】
また、ロック部材２０４は、腕部２０８の内側に、第１の幅Ｗ１より広い第２の幅Ｗ２の第２の間隙２１１を有し、ロック部材２０４が非ロック位置にあるとき、第２の間隙２１１がプラグコネクタ１の嵌合筒状部１０の近傍に位置し、ロック部材２０４がロック位置にあるとき、第１の間隙２１０がプラグコネクタ１の嵌合筒状部１０の外周に接触して位置するように構成されている。
【００３７】
また、ロック部材２０４は、ロック部材２０４をスライド移動するときに操作するための押圧操作部２１２、ロックを解除するときに操作するための一対の係止解除操作部２１３、一対の凹状の被係止部２１４などを備える。係止解除操作部２１３は、上下又は左右に移動して操作する。被係止部２１４は、ロック時に、ハウジング２０３の凸状の係止部２１５と嵌合して、二重にロックするためのものである。
【００３８】
中心端子２０２は下端から周方向の一箇所でＬ字腕部をなす接続部２１７を有している。接続部２１７は、基板上の端子と接続されるものである。外部導体２０１は、周方向の一箇所で接合するように円筒形に湾曲形成されて作られていて、外周に係止溝２０５が形成されている。外部導体２０１は、その下端から周方向の一箇所でＬ字腕部をなす接続部２１８を有している。接続部２１８は、基板上の端子と接続されるものである。また、ハウジング２０３の外壁２０６の底部には、基板に半田付けされるための補強金具２１６が設けられている。
【００３９】
次に、図１２〜図１７により、プラグコネクタ１とレセプタクルコネクタ２００が嵌合した状態で、分離する方向に力が加わっても、嵌合が解除されないようにロックする機構を説明する。図１５は、実施の形態２において、ロック部材をスライド移動してロックした状態を示す斜視図である。図１６は、実施の形態２において、ロック部材をスライド移動してロックした状態を示す正面図である。図１７は、図１６のＡ−Ａ切断面における断面図である。
【００４０】
図１２〜図１４に示すように、レセプタクルコネクタ２００にプラグコネクタ１を上方から嵌合する。この状態では、ロック部材２０４は、最も左側に位置し、まだ非ロック位置であり、プラグコネクタ１を上に持ち上げれば、嵌合が容易に外れてしまう。このとき、外部導体２０１及び嵌合筒状部１０は、第２の間隙２１１の間にある。次に、図１５〜図１７に示すように、押圧操作部２１２を操作して、ロック部材１０４を右方向にスライド移動させる。このとき、嵌合筒状部１０の外周が第１の間隙２１０によって挟み込まれてロックされる。また、被係止部２１４と係止部２１５が嵌合して、二重にロックされる。この状態で、ロック部材２０４の腕部２０８（第１の間隙２１０）が、プラグコネクタ１の嵌合筒状部１０を両側から押さえることになり、レセプタクルコネクタ２００とプラグコネクタ１との嵌合が外れなくなり、完全にロックされる。ロックを解除するためには、係止解除操作部２１３を両側から内側に押さえるか、又は下に押し下げることにより、被係止部２１４と係止部２１５の係止が解除されて、ロック部材２０４のスライド移動が可能になる。
【００４１】
（実施の形態３）
図１８は、本発明の実施の形態３に係るレセプタクルコネクタ（電気コネクタ）及びプラグコネクタ（相手側コネクタ）の構成を示す斜視図である。
【００４２】
まず、図１８により、本発明の実施の形態３に係るレセプタクルコネクタ（電気コネクタ）の構成を説明する。本実施の形態３のレセプタクルコネクタ３００は、相手側コネクタのプラグコネクタ１と嵌合することにより、各端子が電気的に接続されるものであって、円筒状の外部導体３０１と、外部導体３０１の中心に位置する中心端子３０２と、外部導体３０１及び中心端子３０２を保持するハウジング３０３と、相手側コネクタであるプラグコネクタ１との嵌合時に、プラグコネクタ１の天面１１を押さえて嵌合状態を保持する蓋状のロック部材３０４などから構成されている。外部導体３０１は、その外周面に設けられた環状の係止溝３０５を有し、プラグコネクタ１との嵌合時に、プラグコネクタ１の嵌合筒状部１０が、外部導体３０１を包囲して係止溝３０５に係合して嵌合される構造となっている。
【００４３】
また、ハウジング３０３には、両側の外壁３０６の端部に扇形状に開口された一対の軸支部３０７、及び軸カム部３０９が設けられている。ロック部材３０４は、その端部に、切片が内側に曲がった一対の軸部３０８を備えている。また、ロック部材３０４は、軸支部３０７と軸部３０８とが係合し、軸部３０８を中心に軸回転移動が可能である。また、ロック部材３０４は、プラグコネクタ１の挿抜が可能となる非ロック位置と、プラグコネクタ１の移動を規制するロック位置との間で開閉移動するように構成されている。
【００４４】
ロック部材３０４は、ロック時にプラグコネクタ１の天面１１を上から押さえるための押さえ部３１０を備え、軸部３０８の反対側の位置に、開口された一対の被係止部３１１及び折り曲げられた一対の係止解除操作部３１６を備えている。
【００４５】
ハウジング３０３は、軸支部３０７の反対側に、ロック部材３０４をロックするための一対の係止部３１２を備えている。係止部３１２は上面のみに斜面３１３を有し、ロック部材３０４を閉じる方向には移動しやすく、開く方向には移動しにくくなっている。ハウジング３０３の底部には、外部導体３０１から延長した接続部３１４、及び補強金具３１５が設けられている。
【００４６】
次に、図１９〜図２０により、プラグコネクタ１とレセプタクルコネクタ３００が嵌合した状態で、分離する方向に力が加わっても、嵌合が解除されないようにロックする機構を説明する。図１９は、実施の形態３において、ロック部材を開いてレセプタクルコネクタにプラグコネクタを嵌合した状態を示す斜視図である（非ロック位置）。図２０は、実施の形態３において、ロック部材を閉じてロックした状態を示す斜視図である。
【００４７】
図１９に示すように、ロック部材３０４を開いた状態で、レセプタクルコネクタ３００にプラグコネクタ１を上方から嵌合する。この状態では、ロック部材３０４は、まだ非ロック位置であり、プラグコネクタ１を上に持ち上げれば、嵌合が容易に外れてしまう。次に、図２０に示すように、ロック部材４０４を閉じる。このとき、被係止部３１１と係止部３１２が係合し、完全にロックされる。この状態で、ロック部材３０４の押さえ部３１０がプラグコネクタ１の天面１１を押さえることになり、レセプタクルコネクタ３００とプラグコネクタ１との嵌合が外れなくなり、完全にロックされる。
【００４８】
（実施の形態４）
図２１は、本発明の実施の形態４に係るレセプタクルコネクタ（電気コネクタ）及びプラグコネクタ（相手側コネクタ）の構成を示す斜視図である。図２２は、実施の形態４において、ロック部材を開いてレセプタクルコネクタにプラグコネクタを嵌合した状態を示す斜視図である（ロック状態）。図２３は、実施の形態４において、レセプタクルコネクタからプラグコネクタを抜去するために、冶具を用いてロック部材を開いた状態を示す斜視図である（非ロック状態）
【００４９】
まず、図２１により、本発明の実施の形態４に係るレセプタクルコネクタ（電気コネクタ）の構成を説明する。本実施の形態１のレセプタクルコネクタ１００は、相手側コネクタのプラグコネクタ１と嵌合することにより、各端子が電気的に接続されるものであって、円筒状の外部導体４０１と、外部導体４０１の中心に位置する中心端子４０２と、外部導体４０１及び中心端子４０２を保持するハウジング４０３と、相手側コネクタであるプラグコネクタ１との嵌合時に、プラグコネクタ１の天面１１を押さえて嵌合状態を保持する一対のロック部材４０４などから構成されている。外部導体４０１は、その外周面に設けられた環状の係止溝４０５を有し、プラグコネクタ１との嵌合時に、プラグコネクタ１の嵌合筒状部１０が、外部導体４０１を包囲して係止溝４０５に係合して嵌合される構造となっている。
【００５０】
ロック部材４０４は、ハウジング４０３の外壁底部から起立した弾性の一対の部材から構成される。ロック部材４０４は、端部において内側に突出した係止部４０６を有し、プラグコネクタ１との嵌合時に、係止部４０６がプラグコネクタ１の天面１１に係合し、プラグコネクタ１の移動を規制する構造となっている。ロック部材４０４は、金属板を折り曲げて形成され、外部導体４０１と同一の金属板で構成される。係止部４０６は、外側から打ち抜いて形成される。係止部４０６は、上側に斜面を有し、下側は略直角である。また、外部導体４０１、中心端子４０２、ハウジング４０３、及びロック部材４０４は一体成形されている。また、外部導体４０１の一部４０７が、ハウジング４０３から露出している。
【００５１】
レセプタクルコネクタ４００とプラグコネクタ１を嵌合する際は、プラグコネクタ１を上方から押し付ければよい。ロック部材４０４は弾性を有し、係止部４０６は上側に斜面を有するので、ロック部材４０４が左右に開いて容易に嵌合できる。また、嵌合完了後は、係止部４０６の下側は略直角であるので、係止部４０６がプラグコネクタ１の天面１１に係合し、完全にロックされる。
【００５２】
プラグコネクタ１を抜去する際は、図２３に示すように、冶具４０８を使用して、ロック部材４０４の間隔を広げれば、抜去することができる。
【００５３】
したがって、本実施の形態１〜４のレセプタクルコネクタ１００，２００，３００，４００は、それぞれロック部材１０４，２０４，３０４，４０４を備えているので、プラグコネクタ１との嵌合時に、ロック部材がプラグコネクタを押さえて嵌合状態を保持して完全にロックすることができるので、電気コネクタの信頼性が向上する。
【００５４】
以上、本発明者によってなされた発明をその実施の形態に基づき具体的に説明したが、本発明は前記実施の形態に限定されるものではなく、その要旨を逸脱しない範囲で種々変更可能であることはいうまでもない。また、前記実施の形態１〜４をそれぞれ適宜組み合わせてもよい。
【産業上の利用可能性】
【００５５】
本発明は、高信頼性が要求される同軸コネクタに利用することができる。
【符号の説明】
【００５６】
１  プラグコネクタ
２  同軸ケーブル
３  芯線
４  端子
５  ハウジング
６  シールド線
７  外部導体シェル
８  絶縁被覆
９  絶縁体
１０  嵌合筒状部
１１  天面
１２  囲繞部
１３  開放部
１００  レセプタクルコネクタ
１０１  外部導体
１０２  中心端子
１０３  ハウジング
１０４  ロック部材
１０５  係止溝
１０６  外壁
１０７  ガイド部
１０８  腕部
１０９  被ガイド部
１１０  押さえ部
１１１  接触部
１１２  接続部
１１３  接続部
１１４  係止凸部
１１５  係止凸部
１１６  補強金具
１１７  底面
１１８  段差
１１９  端面
１２０  ストッパ
２００  レセプタクルコネクタ
２０１  外部導体
２０２  中心端子
２０３  ハウジング
２０４  ロック部材
２０５  係止溝
２０６  外壁
２０７  ガイド部
２０８  腕部
２０９  被ガイド部
２１０  第１の間隙
２１１  第２の間隙
２１２  押圧操作部
２１３  係止解除操作部
２１４  被係止部
２１５  係止部
２１６  補強金具
２１７  接続部
２１８  接続部
３００  レセプタクルコネクタ
３０１  外部導体
３０２  中心端子
３０３  ハウジング
３０４  ロック部材
３０５  係止溝
３０６  外壁
３０７  軸支部
３０８  軸部
３０９  軸カム部
３１０  押さえ部
３１１  被係止部
３１２  係止部
３１３  斜面
３１４  接続部
３１５  補強金具
３１６  係止解除操作部
４００  レセプタクルコネクタ
４０１  外部導体
４０２  中心端子
４０３  ハウジング
４０４  ロック部材
４０５  係止溝
４０６  係止部
４０７  外部導体の一部
４０８  冶具
【図１】
2020126728.tif 000003
【図２】
2020126728.tif 000004
【図３】
2020126728.tif 000005
【図４】
2020126728.tif 000006
【図５】
2020126728.tif 000007
【図６】
2020126728.tif 000008
【図７】
2020126728.tif 000009
【図８】
2020126728.tif 000010
【図９】
2020126728.tif 000011
【図１０】
2020126728.tif 000012
【図１１】
2020126728.tif 000013
【図１２】
2020126728.tif 000014
【図１３】
2020126728.tif 000015
【図１４】
2020126728.tif 000016
【図１５】
2020126728.tif 000017
【図１６】
2020126728.tif 000018
【図１７】
2020126728.tif 000019
【図１８】
2020126728.tif 000020
【図１９】
2020126728.tif 000021
【図２０】
2020126728.tif 000022
【図２１】
2020126728.tif 000023
【図２２】
2020126728.tif 000024
【図２３】
2020126728.tif 000025